(57)【特許請求の範囲】
【請求項１】
遊技盤に設けられ、遊技盤に遊技領域を形成する仕切りレールと、
前記遊技盤に前記仕切りレールの外側に位置して設けられ、前記仕切りレールとの間に遊技球通過領域を形成する通過レールと、
前記遊技盤の遊技領域内に前記仕切りレールに沿って設けられた取付台と、
前記取付台に設けられ、遊技者から見て前後方向へ指向する回動軸を中心に第１の方向および第１の方向とは反対の第２の方向のそれぞれに回転可能な風車部材と、
前記取付台に前記仕切りレールおよび前記風車部材相互間に位置して設けられた第１のランプケースと、
前記取付台に設けられ、前記風車部材の回動軸に向けて垂直に遊技球を落下させるものであって前記風車部材を遊技球からの衝撃力で前記第１の方向および前記第２の方向のそれぞれに回転させる入球口を前記第１のランプケースとの間に形成する仕切り片と、
前記取付台に設けられ、前記風車部材が前記入球口を通って落下した遊技球からの衝撃力で前記第１の方向へ回転したときに当該遊技球を前記取付台の外部に前記仕切りレールに沿って放出する通路を前記第１のランプケースとの間に形成する第２のランプケースと、
前記取付台に前記仕切り片および前記第２のランプケース相互間に位置して設けられ、前記風車部材が前記入球口を通って落下した遊技球からの衝撃力で前記第２の方向へ回転したときに当該遊技球を前記取付台の外部に放出する球出入口と、
前記取付台に設けられ、前記第１のランプケースの内部に後方から挿入されたランプおよび前記第２のランプケースの内部に後方から挿入されたランプの双方が搭載されたランプ基板と、
前記遊技盤の遊技領域内に前記球出入口より低所に位置して設けられた第１種始動口を備え、
前記球出入口は、遊技球が前記取付台の外部から前記風車部材に前記回動軸より上方および前記回動軸より下方のそれぞれで衝突することを許容するものであり、
前記風車部材は、遊技球が前記取付台の外部から前記球出入口を通って衝突したときに回動によって当該遊技球を前記取付台の内部から前記通路を通して放出または前記球出入口を通して前記取付台の外部に押し戻すものであることを特徴とするパチンコ遊技機。
【発明の詳細な説明】
【０００１】
【発明の属する技術分野】
本発明は、パチンコ機等の遊技機の遊技盤面に取り付けられる風車付球落下誘導装置に関する。
【０００２】
【従来の技術及び発明が解決しようとする課題】
従来、例えばパチンコ遊技機においては、遊技球の落下方向を多様化させる手段として、種々の風車が使用されている。しかし、風車の場合、遊技球をランダムに分散させるものであって、遊技球を特定方向に誘導する機能は備えていない。これに対し、例えば特開平５ー１８４７１２号公報に示すような入賞器が知られている。この入賞器は、遊技盤の周囲に設けられ遊技盤を略円形の遊技領域に仕切るレールに沿って設けたいわゆる肩電飾部材内に誘導路を設けると共に、肩電飾部材の底板または側板に入賞口を設けている。この入賞器は、ランプの点滅による装飾効果を有すると共に、遊技球が誘導路を通過中に入賞口に入る可能性を持たせた点で効果を発揮している。しかし、この入賞器は、遊技球の動き自体は誘導路内に拘束されており、誘導路から流出する態様は一定であるため、外部から見て視覚的変化に乏しいものである。
【０００３】
また、実開平１ー１６７２８４号公報に示されたパチンコ機用ランプ飾りについては、肩電飾部材に風車を嵌め込んだものであり、ランプの点滅による装飾効果を有すると共に、遊技球が風車に当たったときの風車の回動による装飾効果と、遊技球の落下方向に変化をもたらす効果が得られている。しかし、このランプ飾りについては、肩電飾単独と風車単独の効果が発揮されるのみであり、遊技球の落下運動については、風車自体の機能と変わるものではない。
本発明は、上記した問題を解決しようとするもので、遊技球の遊技盤面の落下に多様かつ所定の規則的な変化をもたせることが可能な遊技機用風車付球落下誘導装置を提供することを目的とする。
【０００４】
【課題を解決するための手段及び発明の効果】
請求項１記載のパチンコ遊技機は、遊技盤に設けられ遊技盤に遊技領域を形成する仕切りレールと、前記遊技盤に前記仕切りレールの外側に位置して設けられ前記仕切りレールとの間に遊技球通過領域を形成する通過レールと、前記遊技盤の遊技領域内に前記仕切りレールに沿って設けられた取付台と、前記取付台に設けられ遊技者から見て前後方向へ指向する回動軸を中心に第１の方向および第１の方向とは反対の第２の方向のそれぞれに回転可能な風車部材と、前記取付台に前記仕切りレールおよび前記風車部材相互間に位置して設けられた第１のランプケースと、前記取付台に設けられ前記風車部材の回動軸に向けて垂直に遊技球を落下させるものであって前記風車部材を遊技球からの衝撃力で前記第１の方向および前記第２の方向のそれぞれに回転させる入球口を前記第１のランプケースとの間に形成する仕切り片と、前記取付台に設けられ前記風車部材が前記入球口を通って落下した遊技球からの衝撃力で前記第１の方向へ回転したときに当該遊技球を前記取付台の外部に前記仕切りレールに沿って放出する通路を前記第１のランプケースとの間に形成する第２のランプケースと、前記取付台に前記仕切り片および前記第２のランプケース相互間に位置して設けられ前記風車部材が前記入球口を通って落下した遊技球からの衝撃力で前記第２の方向へ回転したときに当該遊技球を前記取付台の外部に放出する球出入口と、前記取付台に設けられ前記第１のランプケースの内部に後方から挿入されたランプおよび前記第２のランプケースの内部に後方から挿入されたランプの双方が搭載されたランプ基板と、前記遊技盤の遊技領域内に前記球出入口より低所に位置して設けられた第１種始動口を備え、前記球出入口は遊技球が前記取付台の外部から前記風車部材に前記回動軸より上方および前記回動軸より下方のそれぞれで衝突することを許容するものであり、前記風車部材は遊技球が前記取付台の外部から前記球出入口を通って衝突したときに回動によって当該遊技球を前記取付台の内部から前記通路を通して放出または前記球出入口を通して前記取付台の外部に押し戻すものであるところに特徴を有する。
上記手段によれば、遊技盤面を落下する遊技球は入球口に入球すると、風車部材の回動方向によって通路から外部に流出するかまたは球出入口から排出される。一方、球出入口から通路内に入ろうとする遊技球は、風車部材の回動によって通路から外部に流出するかまたは風車部材に押し戻されて再び球出入口から通路外に排出される。その結果、遊技盤面を落下する遊技球の移動に所定の規則性を含みかつ多様な変化が与えられ、遊技に意外性が付与されると共に、風車部材によって遊技球の落下方向が選択されるという視覚的な面白味も得られる。
【０００７】
【発明の実施の形態】
以下、本発明の一実施の形態を図面を用いて説明すると、図１は同実施形態を適用したパチンコ遊技機の本体１０を正面図により示したものである。
本体１０は、正面の上側の枠部１０ａに遊技盤１１を支持しており、枠部１０ａの左内側に開閉自在に支持したガラス扉１０ｂにより遊技盤１１の前側を閉鎖している。遊技盤１１の周囲には、下端略中央から上部右端にかけて円弧状の通過レール１２ａが設けられており、また通過レール１２ａのわずか内側には、遊技盤の左上から同心円状に配置され、右上にて通過レール１２ａにつなげられた仕切りレール１２ｂが設けられている。そして、通過レール１２ａと仕切りレール１２ｂに仕切られて、遊技盤１１の中央には略円形の遊技領域１１ａが設けられており、遊技盤１１の左側には通過レール１２ａと仕切りレール１２ｂに挟まれた弓形の遊技球通過領域１１ｂが形成されている。
【０００８】
遊技領域１１ａの中央には、図柄表示装置１３が設けられている。図柄表示装置１３の上部、左右両側及び左右下側には入賞口１４ａ〜１４ｅが設けられている。また、図柄表示装置１３の直下には中央下第１種始動口１５ａが、その下には大入賞口１５ｂが、大入賞口１５ｂの左右には一対の第１種始動口１５ｃが設けられている。大入賞口１５ｂの直下は、はずれ球を回収するアウト口１６になっている。上部入賞口１４ａの左右両側にはランプ付風車１７が設けられており、また左右入賞口１４ｂ，１４ｃの左右に平円板型風車１８が設けられている。遊技盤面には、その他、多数の障害釘が設けられている。そして、左入賞口１４ｂの左側には仕切りレール１２ｂに沿って左風車付球落下誘導装置２０ａが、右入賞口１４ｃの右側には仕切りレール１２ｂに沿って右風車付球落下誘導装置２０ｂが設けられている。
【０００９】
風車付球落下誘導装置２０ａ（２０ａ、２０ｂは左右対称形状であり、以下２０ａについて説明する）は、図２〜図５に示すように、遊技盤１１の前面に取り付けられる取付台２１を有している。取付台２１は、縦長の略弓形形状で右辺側の略上半分が円弧形に突出した樹脂製の薄板であり、左側上下端には遊技盤面にねじ止めするための取付孔を有する取付片２１ａ，２１ｂを設けている。取付台２１は、左側部の上端から下端位置に、上部が幅広で下部が幅の狭い蓋状体であるランプケース２２が前面から膨出して設けられており、右側部の上下方向略中間から下端側に延びた略長円形状の蓋状体であるランプケース２３が前面から膨出して設けられている。ランプケース２３は、図５に示すように、ランプケース２２より遊技盤面からの高さが低くなっている。ランプケース２２，２３の背面側は、図４（ｂ）に示すように、後述する発光装置であるランプ４３を配設するランプ収容空間２２ａ，２３ａになっている。取付台２１のランプケース２２の右側は遊技球が通過する通路Ｐになっている。
【００１０】
取付台２１の右端上側部には四角形の仕切り片２４が、取付台２１に対して垂直かつ上下に向いて固定されており、仕切り片２４とランプケース２２の間は入球口２５ａになっている。さらに、仕切り片２４とランプケース２３の間の取付台２１側部である円弧形部分は、上側の仕切り片２４と下側のランプケース２３に挟まれて仕切りが設けられていない球出入口２５ｂにされている。入球口２５ａの下側の取付台２１の略円形部分の中心には、図３に示すように、支持軸挿着孔２６ａが設けられている。取付台２１の裏面側の支持軸挿着孔２６ａの対応位置には、円筒形の支持筒部２６が取付台２１に対して垂直かつ一体的に固定されている。
【００１１】
そして、取付台２１前面側には、支持軸挿着孔２６ａを中心として風車部材３０が配設されている。風車部材３０は、平円板型風車であって、中心筒部３１の周囲に等間隔で径方向に延びた複数の羽根部３２と、中心筒部３１の前端に同軸的に取り付けられた前面装飾板３３とを設けてなり、支持筒部２６に挿嵌された支持軸３４に中心筒部３１を外嵌させることにより支持軸３４に回動可能に支持される。羽根部３２は、遊技球の通路Ｐ内での移動を円滑にさせるために、前面側から軸方向後方に向けて軸心方向に傾斜した三角形状にされている。また、前面装飾板３３は、一部がランプケース２３上に延びている。
【００１２】
支持軸３４は、一端側に設けた頭部３４ａにより風車部材３０の抜け止めを行うと共に、図４（ｂ）に示すように、他端側には止め輪３５が係止されて、取付台２１に保持されている。風車部材３０の下側の通路Ｐの下端は流出口２５ｃになっている。また、取付台２１の下側通路位置の背面側には、図４（ｂ）及び図５に示すように、２本の円筒形の支持棒２７が立設されている。
【００１３】
取付台２１後方には、ランプ基板４０が設けられている。ランプ基板４０は、図３に示すように、くの字形状のプリント基板であり、上記支持棒２７に取り付けるための２個の取付孔４１を設けており、くの字先端位置に一対のランプソケット４２が立設されている。ランプソケット４２の先端にはランプ４３が装着されている。ランプ基板４０の取付孔４１を上記支持棒２７位置に合わせてねじ４１ａで止めることにより、ランプ基板４０は、取付台２１に固定され、かつ、ランプ４３がランプ収容空間２２ａ，２３ａに配設される。
【００１４】
以上のように構成した風車付球落下誘導装置２０においては、遊技盤１１面を落下する遊技球Ｂは、図４（ａ）に示すように、風車付球落下誘導装置の上端の入球口２５ａに入球すると、通路Ｐを通って中間部に設けた風車部材３０に到達する。そこで、風車部材３０の左回動によって通路Ｐ下方側に移動し下端の流出口２５ｃから下方に流出するかまたは右回動によって風車部材３０の側方の球出入口２５ｂから通路Ｐ外に排出される。一方、球出入口２５ｂから通路Ｐ内に入ろうとする遊技球は、風車部材３０の回動によって通路Ｐ下方側に入球し、下端の流出口２５ｃから外部に流出するかまたは風車部材３０に押し戻されて再び球出入口２５ｂから通路Ｐ外に排出される。
【００１５】
そのため、風車付球落下誘導装置２０ａ、２０ｂによって遊技盤１１面を落下する遊技球の移動に所定の規則性を含んだ多様な変化が与えられ、遊技に意外性が付与されると共に、風車部材３０によって遊技球の落下方向が選択されるという視覚的な面白味も得られる。また、風車付球落下誘導装置のランプケース２２、２３の背面側のランプ収容空間２２ａ，２３ａに設けたランプ４３を点滅させることにより、通路Ｐ及び通路Ｐを通過する遊技球をより明確に示すことができ、視覚的な面白味がさらに高められる。また、ランプケース２２、２３自体の装飾性に加えてランプ４３を点滅させることにより、風車付球落下誘導装置全体の装飾効果も高められる。
【００１６】
なお、上記実施形態においては、取付台２１の通路Ｐに１個の風車と球出入口を設けた例について説明しているが、２個以上の風車及び球出入口を設けてもよい。その場合には、各風車部材において上記と同様な動作が行われる。この場合には、球出入口を両側の側壁部材に設けることができる。
【００１７】
また、上記実施形態においては、風車付球落下誘導装置は、取付台にランプケース及びランプを設けた肩電飾タイプになっているが、図６に示すように、ランプケースの代わりに仕切り板２８，２９を設けてランプを除くこともできる。さらに、この場合には、風車付球落下誘導装置を遊技領域の両端以外の部分に設けることもできる。また、流出口２５ｃを風車付球落下誘導装置２０ａの下端に設ける代わりに、その側方に設けることもできる。この場合、流出口２５ｃから出た遊技球は、遊技領域１１ａ中央方向に戻され、入賞口に入賞する可能性が生じる。
【００１８】
なお、上記実施形態に示した風車付球落下誘導装置の各部の形状、配置等については、これに限るものでなく、適宜変更することができる。また、上記実施形態では、風車として平円板型風車を用いているが、これに代えて電飾風車を用いることもできる。また、発光装置としては、上記実施形態に示したランプの他に、発光ダイオード、レーザー、蛍光発光装置、プラズマ発光装置、光源から導かれた光ファイバー等であってもよい。
【００１９】
なお、上記実施形態においては、本発明の風車付球落下誘導装置をいわゆる第１種パチンコ遊技機に適用した場合について説明しているが、他のパチンコ遊技機やアレンジ遊技機等の風車を用いる遊技機に対しても同様に適用することができる。
【図面の簡単な説明】
【図１】本発明の一実施形態を適用したパチンコ遊技機を概略的に示す正面図である。
【図２】風車付球落下誘導装置を概略的に示す斜視図である。
【図３】風車付球落下誘導装置を概略的に示す分解斜視図である。
【図４】風車付球落下誘導装置を概略的に示す正面図及び背面図である。
【図５】風車付球落下誘導装置を概略的に示す側面図、及び図４（ａ）に示すV−V線方向の断面図である。
【図６】変形例である風車付球落下誘導装置を概略的に示す正面図である。
【符号の説明】
１０…本体、１１…遊技盤、１１ａ…遊技領域、１２ａ…通過レール、１２ｂ…仕切りレール、２０ａ，２０ｂ…風車付球落下誘導装置、２１…取付台、２１ａ，２１ｂ…取付片、２２、２３…ランプケース、２２ａ，２３ａ…ランプ収容空間、２４…仕切り片、２５ａ…入球口、２５ｂ…球出入口、２５ｃ…流出口、２６…支持筒部、２６ａ…支持軸挿着孔、２７…支持軸、２８，２９…仕切り板、３０…風車部材、３１…中心筒部、３２…羽根部、３３…前面装飾板、３４…支持軸、４０…ランプ基板、４１…取付孔、４２…ランプソケット、４３…ランプ、Ｐ…通路。
【図１】
0004171826.tif 000002
【図２】
0004171826.tif 000003
【図３】
0004171826.tif 000004
【図４】
0004171826.tif 000005
【図５】
0004171826.tif 000006
【図６】
0004171826.tif 000007